(57)【要約】      （修正有）【課題】一段とマッサージ効果の高いマッサージ具を提供する。【解決手段】ハンドル部２の一端から二本に分岐するように二つのアーム部３Ａ，３Ｂが形成される。アーム部３Ａ、３Ｂの先端にそれぞれボール５Ａ、５Ｂを設け、ボール５Ａ、５Ｂをそれぞれ３６０度回転可能とすると共に、ボール５Ａ、５Ｂの一部が突出するように保持する。ユーザは、ボール５Ａ及び５Ｂを凹部にはめ込みボール５Ａ、５Ｂ間に凸部を挟みながらボール５Ａ、５Ｂを転がすことができるので、ボール５Ａ、５Ｂによって凹凸部に対し適切に刺激を与えることができる。【選択図】図１
0003166299.tif 000002
【実用新案登録請求の範囲】
【請求項１】
ハンドル部と、
上記ハンドル部の一端から二本に分岐するように形成された二つのアーム部と、
上記二つのアーム部の先端にそれぞれ取り付けられた二つの回転部と
を具え、
各上記回転部は、
ボールと、
上記ボールを３６０度回転可能とすると共に当該ボールの一部が突出するように保持する保持部と
を有する
ことを特徴とするマッサージ具。
【請求項２】
二つの上記回転部における二つの上記ボールは、上記保持部から突出している部分が、互いに向かい合うように内側に傾けられて保持される
ことを特徴とする請求項１に記載のマッサージ具。
【請求項３】
上記二つのアーム部は、上記ボールを肌に押し付けるような力が加えられると、弾性変形により、上記二つのアーム部の分岐の方向において上記二つのアーム部の先端がさらに開くように構成されている
ことを特徴とする請求項１に記載のマッサージ具。
【請求項４】
上記ボールは、直径９〜１３〔ｍｍ〕の球体でなる
ことを特徴とする請求項１に記載のマッサージ具。
【請求項５】
二つの上記ボール間の距離は、１０〜２０〔ｍｍ〕である
ことを特徴とする請求項１に記載のマッサージ具。
【請求項６】
二つの上記ボールは、上記保持部から突出している部分が、上記二つのアーム部の分岐の中心線に対して垂直な線を基準線として、当該基準線から３５度内側に向かって傾くように保持される
ことを特徴とする請求項２に記載のマッサージ具。
【請求項７】
各上記アーム部は、上記ボールを肌に押し付けるような力が加えられると、弾性変形により、各上記アーム部の傾きが最大で５〜１５度変化するように構成されている
ことを特徴とする請求項３に記載のマッサージ具。
【請求項８】
上記保持部は、
上記ボールを着脱可能とするように構成されている
ことを特徴とする請求項１に記載のマッサージ具。
【考案の詳細な説明】
【技術分野】
【０００１】
本考案はマッサージ具に関し、特に顔、首、デコルテなどをマッサージするマッサージ具として好適なものである。
【背景技術】
【０００２】
従来、マッサージ具として、ハンドルの先端に円筒状ローラを設け、ユーザがハンドルを把持して円筒状ローラを顔や体などに押し付けながら転がすことでマッサージを行うようになされたものが提案されている（特許文献１及び２参照）。
【先行技術文献】
【特許文献】
【０００３】
【特許文献１】登録実用新案第３１３０８４８号公報
【特許文献２】登録実用新案第３１３１４９４号公報
【考案の概要】
【考案が解決しようとする課題】
【０００４】
ところで、上述したマッサージ具は、円筒状ローラの外表面に突起を設け、円筒状ローラを回転させるのに従って当該突起を順次肌に押し付けて行くことにより、刺激を与えるようになっている。
【０００５】
しかし、このようなマッサージ具を用いて凹凸の多い部位（例えば、顔やデコルテなど）をマッサージしようとすると、凹凸部に対して円筒状ローラの突起を沿わせ難く、当該突起が凹部から浮いてしまったり、当該突起を凹部に押し付けようとして凸部へ強すぎる刺激を与えてしまったりなどして、凹凸部に対して適切に刺激を与えることができず、意図しているマッサージ効果が十分に得られない場合があった。
【０００６】
本考案は以上の点を考慮してなされたもので、一段とマッサージ効果の高いマッサージ具を提案しようとするものである。
【課題を解決するための手段】
【０００７】
かかる課題を解決するため本考案のマッサージ具１においては、ハンドル部２と、ハンドル部２の一端から二本に分岐するように形成された二つのアーム部３Ａ及び３Ｂと、二つのアーム部３Ａ及び３Ｂの先端にそれぞれ装着された二つの回転部４Ａ及び４Ｂとを設け、回転部４Ａ及び４Ｂは、ボール５Ａ及び５Ｂと、ボール５Ａ及び５Ｂを３６０度回転可能とすると共にボール５Ａ及び５Ｂの一部が突出するように保持する保持部６Ａ及び６Ｂとを有するように構成する。
【考案の効果】
【０００８】
本考案によれば、二つのアーム部の先端にそれぞれボールを設け、二つのボールをそれぞれ３６０度回転可能とすると共にボールの一部が突出するように保持したことにより、ユーザは、二つのボールを凹部にはめ込み二つのボール間に凸部を挟みながら二つのボールを転がすことができるので、二つのボールによって凹凸部に対し適切に刺激を与えることができ、一段とマッサージ効果を高いマッサージ具を実現することができる。
【図面の簡単な説明】
【０００９】
【図１】（Ａ）及び（Ｂ）は本考案による一実施の形態であるマッサージ具の上面図及び正面図である。
【図２】（Ａ）及び（Ｂ）は保持部及びボールをアーム部から取り外したときの断面図及び斜視図であり、（Ｃ）及び（Ｄ）は保持部をアーム部から取り外したときの断面図及び斜視図であり、（Ｅ）及び（Ｆ）は図１に示す回転部のＡ−Ａ断面図及び斜視図である。
【図３】図１に示す回転部の正面図である。
【図４】ボールを肌に当接させた様子の説明に供する略線図である。
【図５】アーム部が開く様子の説明に供する略線図である。
【図６】マッサージ具の使用例の説明に供する略線図である。
【考案を実施するための形態】
【００１０】
以下図面について、本考案の一実施の形態を詳述する。
【００１１】
（１）実施の形態
図１において、１は全体としてマッサージ具を示す。マッサージ具１は、断面楕円形状の棒状で、片手で把持しうる大きさでなるハンドル部２と、ハンドル部２の上端からハンドル部２の断面形状である楕円の長軸方向（矢印ｘ方向）に開くように二本に分岐して斜め上に延びる一対のアーム部３Ａ及び３Ｂとを有し、全体として略Ｙ字状に構成されている。
【００１２】
アーム部３Ａ及び３Ｂの先端には、それぞれ回転部４Ａ及び４Ｂが取り付けられている。回転部４Ａ及び４Ｂは、例えばステンレスなどの金属素材で構成されたボール５Ａ及び５Ｂと、ボール５Ａ及び５Ｂを保持する保持部６Ａ及び６Ｂとを有する。
【００１３】
図２（Ａ）及び（Ｂ）に示すように、アーム部３Ａ及び３Ｂの先端には、それぞれ円形皿状の台部３Ａ１及び３Ｂ１が形成されており、図２（Ｃ）及び（Ｄ）に示すように、当該台部３Ａ１及び３Ｂ１のそれぞれにボール５Ａ及び５Ｂが載置される。そして、ボール５Ａ及び５Ｂの上から略円筒状の保持部６Ａ及び６Ｂが被さり、台部３Ａ１及び３Ｂ１の外周に形成された雄ねじに対し、保持部６Ａ及び６Ｂの内側に形成された雌ねじが螺合される。これにより、図２（Ｅ）及び（Ｆ）に示すように、アーム部３Ａ及び３Ｂの先端に保持部６Ａ及び６Ｂが取り付けられる。
【００１４】
また、保持部６Ａ及び６Ｂの上側の開口６Ａ１及び６Ｂ１は、その直径がボール５Ａ及び５Ｂの直径よりも若干小さく形成されているため、保持部６Ａ及び６Ｂは、ボール５Ａ及び５Ｂの横方向の中心線Ｌ０よりも少し上からボール５Ａ及び５Ｂの下までを囲うようになっている。
【００１５】
このような構成により、保持部６Ａ及び６Ｂは、ボール５Ａ及び５Ｂを３６０度自由に回転可能とすると共に当該ボール５Ａ及び５Ｂの略上側半部がアーム部３Ａ及び３Ｂに対して垂直な方向に突出するように保持しながらも、ボール５Ａ及び５Ｂがアーム部３Ａ及び３Ｂから外れないように保持している。
【００１６】
尚、この実施の形態において、ボール５Ａ及び５Ｂは、直径Ｒ（＝１１〔ｍｍ〕）の球体でなる。このボール５Ａ及び５Ｂの直径Ｒ（＝１１〔ｍｍ〕）は、例えば小鼻の周りや鎖骨のくぼみなどといった人間の顔や体（例えばデコルテ）の凹部に入り込んで押圧するのに適したサイズであるとして特定されたものである。
【００１７】
また図３に示すように、保持部６Ａ及び６Ｂはアーム部３Ａ及び３Ｂに取り付けられることにより、アーム部３Ａ及び３Ｂの分岐の方向（矢印ｘ方向）において、互いに向かい合うように内側に傾いた状態で保持される。これにより、ボール５Ａ及び５Ｂにおける保持部６Ａ及び６Ｂから突出している部分（以下、突出部分とも呼ぶ）が、アーム部３Ａ及び３Ｂの分岐の方向において、互いに向かい合うように内側に傾いた状態で保持される。
【００１８】
具体的に、この実施の形態において、ボール５Ａ及び５Ｂの突出部分は、アーム部３Ａ及び３Ｂの分岐の中心線Ｌ１に対して垂直な線Ｌ２（すなわち、アーム部３Ａ及び３Ｂの分岐の方向に延びる線）を基準線として、当該基準線Ｌ２から角度α（＝３５度）内側に向かって傾くように保持されている。
【００１９】
このような構成により、図４に示すように、ボール５Ａ及び５Ｂを肌に押し当てた際に平面部７であっても凹凸部８であってもボール５Ａ及び５Ｂの突出部分（斜線で示す部分）を肌に接触させることができるようになっている。特に、ボール５Ａ及び５Ｂの突出部分の傾きを角度α（＝３５度）としたことで、平面部７に対しても種々の形状及び大きさでなる凹凸部８に対してもボール５Ａ及び５Ｂを常に肌に接触させることができるようになっている。
【００２０】
また図３に示すように、この実施の形態において、ボール５Ａ及び５Ｂは、ボール５Ａ及び５Ｂ間の距離がｄ１（＝１２〔ｍｍ〕）、すなわちボール５Ａの中心Ｏａ及びボール５Ｂの中心Ｏｂ間の距離がｄ２（＝略２３〔ｍｍ〕）となるように保持されている。このボール５Ａ及び５Ｂ間の距離ｄ１（＝１２〔ｍｍ〕）は、例えば人間の顎や鎖骨などの骨の幅に合わせて特定されたものであり、ボール５Ａ及び５Ｂによって人間の顎や鎖骨などの骨を挟むのに適したものとなっている。
【００２１】
ところで、ハンドル部２とアーム部３Ａ及び３Ｂとは、軟性を有する材料（例えば合成樹脂材料）により一体的に形成されている。アーム部３Ａ及び３Ｂは、それぞれ断面楕円形状の棒状でなり、当該楕円の短軸方向がハンドル部２の断面形状である楕円の長軸方向（矢印ｘ方向）と一致するように形成されている。またアーム部３Ａ及び３Ｂの矢印ｘ方向の厚みは、ハンドル部２の矢印ｘ方向の厚みと比較して薄くなっている。
【００２２】
このような構成により、図５に示すように、ボール５Ａ及び５Ｂが例えば凹凸部８に押し付けられ、ハンドル部２が凹凸部８に近づく方向（矢印ｙ方向）に動かされると、凹凸部８からボール５Ａ及び５Ｂを介してアーム部３Ａ及び３Ｂの先端を押し返す力が加えられ、アーム部３Ａ及び３Ｂが弾性変形する。この結果、アーム部３Ａ及び３Ｂの先端がさらにアーム部３Ａ及び３Ｂの断面形状である楕円の短軸方向（矢印ｘ方向、すなわちハンドル部２の断面形状である楕円の長軸方向）に開くようになっている。一方、アーム部３Ａ及び３Ｂの先端は、アーム部３Ａ及び３Ｂの断面形状である楕円の長軸方向（矢印ｚ方向）には開きにくくなっている。
【００２３】
そしてこのようにアーム部３Ａ及び３Ｂの先端が開く（すなわちアーム部３Ａ及び３Ｂが外側に傾く）のに伴って、ボール５Ａ及び５Ｂの突出部分の傾きとボール５Ａ及び５Ｂ間の距離とが変化することとなる。
【００２４】
尚、この実施の形態において、アーム部３Ａ及び３Ｂは、弾性変形により、それぞれその傾きが最大でβ（＝１０度）変化するように構成されており、これにより、ボール５Ａ及び５Ｂの突出部分の傾きも、それぞれ最大でβ（＝１０度）変化する。
【００２５】
以上の構成において、ユーザがマッサージ具１を用いてマッサージする場合、ハンドル部２を手に持ち、ボール５Ａ及び５Ｂをマッサージしたい部位に押し当てる。
【００２６】
ここで、ユーザは、力を入れやすくするため、例えば、ハンドル部２の断面形状である楕円の短軸方向側からハンドル部２を指でつまむことが想定される。このとき、ユーザは、ハンドル部２をつまんだ指の感覚からハンドル部２の断面形状である楕円の長軸方向を自然と認識することができる。これにより、ユーザは、当該長軸方向に分岐しているアーム部３Ａ及び３Ｂの先端に設けられたボール５Ａ及び５Ｂの大まかな位置関係を感覚的に認識することができるので、鏡を見なくても所望の部位にボール５Ａ及び５Ｂを押し当てることができる。
【００２７】
この押し当て状態においてユーザがハンドル部２を肌面に沿って移動させると、ボール５Ａ及び５Ｂが肌を押しながら回転し肌に対して刺激を付与することにより、マッサージが行われる。
【００２８】
具体的に、図６に示すように、例えば額に対するマッサージ（矢印ａ）や頬に対するマッサージ（矢印ｂ）など平面部に対してのマッサージを行う場合、ユーザは、ボール５Ａ及び５Ｂを当該平面部に押し当てる。この状態でユーザがハンドル部２を肌面に沿って移動させると、ボール５Ａ及び５Ｂが平面部に当接しながら回転し、平面部に対して適切に刺激を与えることができる。
【００２９】
また例えば、鼻筋に沿ったマッサージ（矢印ｃ）、顎の骨に沿ったマッサージ（矢印ｄ）、首筋に沿ったマッサージ（矢印ｅ）、鎖骨に沿ったマッサージ（矢印ｆ）など、骨や筋などの凹凸に沿ったマッサージを行う場合、ユーザは、ボール５Ａ及び５Ｂを凹部（例えば鎖骨の窪みなど）にはめ込み、ボール５Ａ及び５Ｂ間に凸部（例えば鎖骨など）を挟むようにしてボール５Ａ及び５Ｂを肌に押し当てる。
【００３０】
この状態でユーザがハンドル部２を肌面に沿って移動させると、凹部にはめ込まれたボール５Ａ及び５Ｂが凸部を挟みながら回転し、凹凸部に対して適切に刺激を与えることができる。したがって、例えば、顎の骨、首筋、鎖骨などの周囲にあるリンパを刺激するリンパマッサージを適切に行うことができる。
【００３１】
またこのとき、ユーザがボール５Ａ及び５Ｂを肌に押し付ける力に応じてアーム部３Ａ及び３Ｂの先端がさらに開くように弾性変形することにより、ボール５Ａ及び５Ｂを凹凸部の形状に対し柔軟に追従させることができるので、種々の形状及び大きさでなる凹凸部に対しても適切に刺激を与えることができる。
【００３２】
さらにこのとき、アーム部３Ａ及び３Ｂの弾性力に応じてボール５Ａ及び５Ｂ間にある凸部をつまむ力が働くことにより、ユーザがボール５Ａ及び５Ｂを肌に押し付ける力を強めたり弱めたりを繰り返すことで、ボール５Ａ及び５Ｂによって凸部をつまむようなマッサージを行うこともできる。
【００３３】
さらにマッサージ具１は、ボール５Ａ及び５Ｂが直径Ｒ（＝１１〔ｍｍ〕）の球体であると共にその間の距離がｄ１（＝１２〔ｍｍ〕）であり回転部４Ａ及び４Ｂ全体がコンパクトに構成されているので、例えば目尻に対して円を描くようなマッサージ（矢印ｇ）や、局所的な押圧マッサージ（ツボ押し）など、比較的狭い部位に対するマッサージを行うこともできる。
【００３４】
さらにマッサージ具１は、ボール５Ａ及び５Ｂが３６０度回転可能に保持されているので、ユーザに、ハンドル部２を持つ際に持ち手を無理な体勢にさせることなく、ボール５Ａ及び５Ｂの移動方向を自由に変更させることができる。したがって、ユーザは、マッサージ具１を用いて、例えば、ボール５Ａ及び５Ｂをジグザグに動かすマッサージ（矢印ｅ、矢印ｈ）を行うこともでき、凹凸の形状に沿ったマッサージや、頬などの広い面のマッサージなどを素早く行うことができる。
【００３５】
さらに、図２（Ｃ）に示すように、保持部６Ａ及び６Ｂを回してねじを緩めることにより、保持部６Ａ及び６Ｂを台部３Ａ１及び３Ｂ１から取り外すことができ、ボール５Ａ及び５Ｂを台部３Ａ１及び３Ｂ１から取り外すことができる。
【００３６】
したがって、台部３Ａ１及び３Ｂ１、保持部６Ａ及び６Ｂ、ボール５Ａ及び５Ｂを別々に洗浄したり、ボール５Ａ及び５Ｂを例えば美容効果の異なる素材で構成された別のボールなどに交換したりすることができる。
【００３７】
以上の構成によれば、マッサージ具１において、アーム部３Ａ及び３Ｂの先端にそれぞれボール５Ａ及び５Ｂが設けられ、ボール５Ａ及び５Ｂがそれぞれ３６０度回転可能であると共にボール５Ａ及び５Ｂの一部が突出するように保持されていることにより、ユーザは、ボール５Ａ及び５Ｂを凹部にはめ込みボール５Ａ及び５Ｂ間に凸部を挟みながらボール５Ａ及び５Ｂを転がすことができる。これにより、ボール５Ａ及び５Ｂによって凹凸部に対し適切に刺激を与えることができるので、一段とマッサージ効果を高くすることができる。
【００３８】
（２）変形例
尚、上述した実施の形態においては、ボール５Ａ及び５Ｂの直径を１１〔ｍｍ〕とした場合について述べたが、ボール５Ａ及び５Ｂのサイズはこれに限らない。特に、ボール５Ａ及び５Ｂの直径を９〜１３〔ｍｍ〕の範囲内とすれば、ボール５Ａ及び５Ｂが例えば小鼻の周りや鎖骨のくぼみなどといった人間の顔や体の凹部に入り込んで適切に押圧することができる。
【００３９】
また、上述した実施の形態においては、ボール５Ａ及び５Ｂ間の距離を１２〔ｍｍ〕とした場合について述べたが、ボール５Ａ及び５Ｂ間の距離は、これに限らない。特に、ボール５Ａ及び５Ｂ間の距離を１０〜２０〔ｍｍ〕の範囲内とすれば、ボール５Ａ及び５Ｂによって顎や首筋の骨、鎖骨など人間の骨の周囲を挟みながらマッサージを行うことができる。
【００４０】
さらに、上述した実施の形態においては、ボール５Ａ及び５Ｂの突出部分を、上述した基準線Ｌ２から角度α（＝３５度）内側に向かって傾くように保持した場合について述べたが、ボール５Ａ及び５Ｂの突出部分の傾きはこれに限らず、また基準線Ｌ２に対して傾いていなくてもよい。
【００４１】
さらに、上述した実施の形態においては、アーム部３Ａ及び３Ｂが、弾性変形により、それぞれその傾きが最大でβ（＝１０度）変化するように構成されている場合について述べたが、これに限らない。特に、アーム部３Ａ及び３Ｂの傾きが弾性変形により変化する際における変化角度の最大値が５〜１５度の範囲内であれば、ボール５Ａ及び５Ｂ間が広がることで種々の大きさの凹凸部に沿ってマッサージを行うことができると共に、ボール５Ａ及び５Ｂ間が広がりすぎてボール５Ａ及び５Ｂの肌に対する押圧力が弱まりマッサージ効果が薄れてしまうのを防ぐことができる。
【００４２】
さらに、上述した実施の形態においては、保持部６Ａ及び６Ｂがアーム部３Ａ及び３Ｂから取り外されるのに伴い、ボール５Ａ及び５Ｂが保持部６Ａ及び６Ｂから取り外されるように構成した場合について述べた。しかしながら、ボール５Ａ及び５Ｂを着脱可能とするような構成であれば、保持部６Ａ及び６Ｂの構成は、上述した構成に限らない。またこれに限らず、保持部６Ａ及び６Ｂからボール５Ａ及び５Ｂが着脱可能でなくてもよい。
【００４３】
さらに、上述した実施の形態においては、ボール５Ａ及び５Ｂが、例えばステンレスなどの金属素材で構成されている場合について述べた。しかしながら、これに限らず、ボール５Ａ及び５Ｂが、この他種々の素材で構成されていてもよい。
【産業上の利用可能性】
【００４４】
本考案は、例えば、顔、首、デコルテなどをマッサージするマッサージ具に利用できる。
【符号の説明】
【００４５】
１……マッサージ具、２……ハンドル部、３Ａ、３Ｂ……アーム部、４Ａ、４Ｂ……回転部、５Ａ、５Ｂ……ボール、６Ａ、６Ｂ……保持部。
【図１】
0003166299.tif 000003
【図２】
0003166299.tif 000004
【図３】
0003166299.tif 000005
【図４】
0003166299.tif 000006
【図５】
0003166299.tif 000007
【図６】
0003166299.tif 000008